【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
大腿骨コンポーネントと、ヒンジ支柱延長体と、脛骨コンポーネントとを備えている人工膝関節において、
大腿骨コンポーネントが該大腿骨コンポーネントに回転可能に接続されているヒンジ支柱を有し、該ヒンジ支柱が内部に前記ヒンジ支柱延長体を配置するのに適した寸法になっている細長いヒンジ支柱延長体孔を含み、前記ヒンジ支柱延長体が前記ヒンジ支柱延長体孔内に機能可能となるように配置されたときに、前記ヒンジ支柱延長体が、前記ヒンジ支柱延長体孔の第１の端部を通り抜け、前記ヒンジ支柱延長体孔の第２の端部から突出するようになっており、前記ヒンジ支柱延長体孔の前記第１の端部及び前記第２の端部が前記細長いヒンジ支柱延長体孔の両端部からなり、
脛骨コンポーネントが第２のヒンジ支柱延長体孔を含み、人工膝関節が機能可能となるように組み立てられたときに、前記ヒンジ支柱延長体が前記第２のヒンジ支柱延長体孔内に配置されるようになっている人工膝関節。
【請求項２】
前記人工膝関節が、前記大腿骨コンポーネントと前記脛骨コンポーネントとの間に配置される半月板コンポーネントをさらに備え、
前記大腿骨コンポーネントが顆状支持面を含み、前記半月板コンポーネントが、前記大腿骨コンポーネントの前記顆状支持面と対面している協働支持面と、ヒンジ支柱孔とを含み、前記人工膝関節が機能可能となるように組み立てられたときに、前記ヒンジ支柱が前記ヒンジ支柱孔内に配置されるようになっている、請求項１に記載の人工膝関節。
【請求項３】
前記ヒンジ支柱延長体の長手方向軸線を中心とする前記半月板コンポーネントの回転を案内するために、前記脛骨コンポーネントが前記半月板コンポーネントの切り抜き部と協働する回転突起を含む、請求項２に記載の人工膝関節。
【請求項４】
前記回転突起が前記脛骨コンポーネントの脛骨トレイと概略平行に延びているリップ部を含み、前記回転突起のリップ部が前記半月板コンポーネントの前記切り抜き部に形成された対向するリップ部と対面して配置され、前記半月板コンポーネントのリップ部が前記脛骨トレイと前記回転突起のリップ部との間で前記脛骨トレイと垂直な方向に配置される、請求項３に記載の人工膝関節。
【請求項５】
前記人工膝関節が止めネジをさらに備え、前記細長いヒンジ支柱延長体孔の前記第１の端部にネジ部が形成されており、前記止めネジが前記細長いヒンジ支柱延長体孔の前記ネジ部と係合し、前記ヒンジ支柱延長体がロック用テーパ部を含み、前記ヒンジ支柱延長体孔が協働テーパ部を含み、前記止めネジを前記細長いヒンジ支柱延長体孔にねじ込むことにより、前記ロック用テーパ部を前記協働テーパ部と係合させロックする、請求項１に記載の人工膝関節。
【請求項６】
前記人工膝関節が前記大腿骨コンポーネントに接続されている支持ボックスをさらに備え、該支持ボックスが前記ヒンジ支柱と前記大腿骨コンポーネントとの間に配置されて、前記ヒンジ支柱が人工膝関節の屈曲及び伸張の際に前記大腿骨コンポーネントと接触しないようになっており、前記支持ボックスが過伸展止めを含むと共に、前記ヒンジ支柱が過伸展止め表面を含み、前記過伸展止めが前記過伸展止め表面に接触して、予め定められた過伸展点を越える前記人工膝関節のさらなる過伸展を防止するようになっている、請求項１に記載の人工膝関節。
【請求項７】
前記過伸展止めが凸状突起からなる、請求項６に記載の人工膝関節。
【請求項８】
前記過伸展止め表面が前記細長いヒンジ支柱延長体孔の凹状部分からなる、請求項６に記載の人工膝関節。
【請求項９】
前記予め定められた過伸展点では、前記人工膝関節の過伸展が４度となる、請求項６に記載の人工膝関節。
【請求項１０】
前記顆状支持面が第１の部分及び第２の部分を含み、該第１の部分が第１の曲率半径を有し、該第２の部分が第２の曲率半径を有しており、前記第１の部分が前記半月板コンポーネントの前記協働支持面と接触しているとき、前記大腿骨コンポーネントが回転軸線を一定に維持し、前記大腿骨コンポーネントの前記第２の部分が前記半月板コンポーネントの前記協働支持面と接触しているとき、前記大腿骨コンポーネントの回転軸線が前記半月板コンポーネントから離れ、前記人工膝関節の過伸展が３度になったときに、前記大腿骨コンポーネントの前記第２の部分が前記半月板コンポーネントと接触するようになっている、請求項２に記載の人工膝関節。
【請求項１１】
前記ヒンジ支柱延長体がネジ部を設けられた孔を含んでいる、請求項１に記載の人工膝関節。
【請求項１２】
ヒンジ支柱が回転可能に接続されている大腿骨コンポーネントと、
前記ヒンジ支柱から延びているヒンジ支柱延長体と、
ヒンジ支柱延長体孔を含んでいる脛骨コンポーネントと、
前記大腿骨コンポーネントと前記脛骨コンポーネントとの間に配置される半月板コンポーネントと、を備える人工膝関節であって、
前記人工膝関節が機能可能となるように組み立てられたときに、前記ヒンジ支柱延長体が前記ヒンジ支柱延長体孔内に配置され、前記ヒンジ支柱が、前記脛骨コンポーネントにより、前記ヒンジ支柱延長体の長手方向軸線と垂直な方向への変位に対して完全に拘束を受け、前記大腿骨コンポーネントが前記ヒンジ支柱延長体の前記長手方向軸線を中心として回転可能になっており、
前記大腿骨コンポーネントが顆状支持面を含み、前記半月板コンポーネントが前記大腿骨コンポーネントの前記顆状支持面と接触する協働支持面を含むようになっており、
前記半月板コンポーネントがヒンジ支柱孔を含み、前記人工膝関節が機能可能となるように組み立てられたときに、前記ヒンジ支柱が該ヒンジ支柱孔内に配置され、前記半月板コンポーネントがヒンジ支柱の長手方向軸線を中心として回転可能になる人工膝関節。
【請求項１３】
ヒンジ支柱が回転可能に接続されている大腿骨コンポーネントと、
前記ヒンジ支柱から延びているヒンジ支柱延長体と、
ヒンジ支柱延長体孔を含んでいる脛骨コンポーネントと、
前記大腿骨コンポーネントと前記脛骨コンポーネントとの間に配置される半月板コンポーネントと、
前記大腿骨コンポーネントに接続されている支持ボックスと、
を備える人工膝関節であって、
前記人工膝関節が機能可能となるように組み立てられたときに、前記ヒンジ支柱延長体が前記ヒンジ支柱延長体孔内に配置され、前記ヒンジ支柱が、前記脛骨コンポーネントにより、前記ヒンジ支柱延長体の長手方向軸線と垂直な方向への変位に対して完全に拘束を受け、前記大腿骨コンポーネントが前記ヒンジ支柱延長体の前記長手方向軸線を中心として回転可能になっており、
前記大腿骨コンポーネントが顆状支持面を含み、前記半月板コンポーネントが前記大腿骨コンポーネントの前記顆状支持面と接触する協働支持面を含むようになっており、
該支持ボックスが前記ヒンジ支柱と前記大腿骨コンポーネントとの間に配置されて、前記ヒンジ支柱が人工膝関節の屈曲及び伸張の際には前記大腿骨コンポーネントと接触しないようになっており、前記支持ボックスが過伸展止めを含むと共に、前記ヒンジ支柱が過伸展止め表面を含み、前記過伸展止めが前記過伸展止め表面に接触して、予め定められた過伸展点を越える前記人工膝関節のさらなる過伸展を防止するようになっている人工膝関節。
【請求項１４】
ヒンジ支柱が回転可能に接続されている大腿骨コンポーネントと、
前記ヒンジ支柱から延びているヒンジ支柱延長体と、
ヒンジ支柱延長体孔を含んでいる脛骨コンポーネントと、
前記大腿骨コンポーネントと前記脛骨コンポーネントとの間に配置される半月板コンポーネントと、を備える人工膝関節であって、
前記人工膝関節が機能可能となるように組み立てられたときに、前記ヒンジ支柱延長体が前記ヒンジ支柱延長体孔内に配置され、前記ヒンジ支柱が、前記脛骨コンポーネントにより、前記ヒンジ支柱延長体の長手方向軸線と垂直な方向への変位に対して完全に拘束を受け、前記大腿骨コンポーネントが前記ヒンジ支柱延長体の前記長手方向軸線を中心として回転可能になっており、
前記大腿骨コンポーネントが顆状支持面を含み、前記半月板コンポーネントが前記大腿骨コンポーネントの前記顆状支持面と接触する協働支持面を含むようになっており、
前記ヒンジ支柱が内部にヒンジ支柱延長体を配置するのに適した寸法になっている細長いヒンジ支柱延長体孔を含んでおり、前記ヒンジ支柱延長体が前記ヒンジ支柱延長体孔内に機能可能となるように配置されたときに、前記ヒンジ支柱延長体が、前記ヒンジ支柱延長体孔の第１の端部を通り抜け、前記ヒンジ支柱延長体孔の第２の端部から突出するようになっており、前記ヒンジ支柱延長体孔の前記第１の端部及び前記第２の端部が前記細長いヒンジ支柱延長体孔の両端部からなる人工膝関節。
【請求項１５】
ヒンジ支柱が回転可能に接続されている大腿骨コンポーネントと、
前記ヒンジ支柱から延びているヒンジ支柱延長体と、
ヒンジ支柱延長体孔を含み、前記人工膝関節が機能可能となるように組み立てられたときに、前記ヒンジ支柱延長体が前記ヒンジ支柱延長体孔内に配置されるようになっている脛骨コンポーネントと、を備える人工膝関節であって、
前記人工膝関節が前記大腿骨コンポーネントに接続されている支持ボックスをさらに備え、前記支持ボックスが前記ヒンジ支柱と前記大腿骨コンポーネントとの間に配置されて、前記ヒンジ支柱が人工膝関節の屈曲及び伸張の際には前記大腿骨コンポーネントと接触しないようになっており、前記支持ボックスが過伸展止めを含むと共に、前記ヒンジ支柱が過伸展止め表面を含み、前記過伸展止めが前記過伸展止め表面に接触して、予め定められた過伸展点を越えた前記人工膝関節のさらなる過伸展を防止するようにした人工膝関節。
【請求項１６】
大腿骨コンポーネントと、脛骨コンポーネントと、該大腿骨コンポーネントと該脛骨コンポーネントとの間に配置された半月板コンポーネントとを備える人工膝関節であって、
前記大腿骨コンポーネントが顆状支持面を含み、前記半月板コンポーネントが、前記大腿骨コンポーネントの前記顆状支持面と対面している協働支持面を含み、前記顆状支持面が第１の部分及び第２の部分を含み、該第１の部分が第１の曲率半径を有し、該第２の部分が第２の曲率半径を有し、前記第１の部分が前記半月板コンポーネントの前記協働支持面と接触しているとき、前記大腿骨コンポーネントが回転軸線を一定に維持し、前記大腿骨コンポーネントの前記第２の部分が前記半月板コンポーネントの前記協働支持面と接触しているとき、前記大腿骨コンポーネントの前記回転軸線が前記半月板コンポーネントから離れ、前記人工膝関節の過伸展が３度になったときに、前記大腿骨コンポーネントの前記第２の部分が前記半月板コンポーネントと接触するようにした人工膝関節。
【請求項１７】
ヒンジピンを介してヒンジ支柱が回転可能に接続されている大腿骨コンポーネントと、
ヒンジピン栓と、
前記ヒンジ支柱から延びているヒンジ支柱延長体と、
ヒンジ支柱延長体孔を含み、前記人工膝関節が機能可能となるように組み立てられたときに前記ヒンジ支柱延長体が前記ヒンジ支柱延長体孔内に配置されるようになっている脛骨コンポーネントと、
前記大腿骨コンポーネントと前記脛骨コンポーネントとの間に配置された半月板コンポーネントと、
を備える人工膝関節であって、
前記ヒンジ支柱が前記ヒンジピンの長手方向軸線を中心として回転可能であり、前記ヒンジピンが第１の端部に六角形状の凹部を含み、該第１の端部が前記大腿骨コンポーネントと同一平面となり、前記ヒンジピン栓が前記六角形状の凹部内に配置され、前記ヒンジピンの前記第１の端部と同一平面になっており、
前記大腿骨コンポーネントが顆状支持面を含み、前記半月板コンポーネントが、前記大腿骨コンポーネントの前記顆状支持面と対面している協働支持面を含み、前記半月板コンポーネントがヒンジ支柱孔を含み、前記人工膝関節が機能可能となるように組み立てられたときに、前記ヒンジ支柱が該ヒンジ支柱孔内に配置されるようになっている人工膝関節。
【手続補正２】
【補正対象書類名】明細書
【補正対象項目名】００１４
【補正方法】変更
【補正の内容】
【００１４】
図２に示されているように、ヒンジ支柱延長体４２は、ロック用テーパ部４６と円筒状延長部４８とを含んでいる。ヒンジ支柱延長体孔１１２は、ロック用テーパ部４６と協働してヒンジ支柱延長体４２をヒンジ支柱４０にロックするために、係合相手となるロック用テーパ部を含んでいる。ヒンジ支柱延長体孔１１２、ヒンジ支柱孔１１４及びヒンジ支柱延長体孔１１０の中を通過させてヒンジ支柱延長体４２を配置した後、ヒンジ支柱４０の細長いヒンジ支柱延長体孔１１２内のヒンジ栓用ネジ部５４にヒンジ栓３８を螺入することができる（図４を参照）。ヒンジ栓３８は、ヒンジ支柱延長体４２の端部に接触し、それにより、ロック用テーパ部４６のロックを容易にする。１つの例示の実施態様では、ロック用テーパ部４６は、２段階のロック用テーパ部を含む。人工膝関節２０が図１に示されているように組み立てられると、顆状支持面２８、３０は半月板コンポーネント２６の支持面８６、８８（図２を参照）と接触する。
【手続補正３】
【補正対象書類名】明細書
【補正対象項目名】００１７
【補正方法】変更
【補正の内容】
【００１７】
支持ボックス７０は、図１に示されているように、大腿骨コンポーネント２２の顆状支持面２８、３０の間に配置されるように構成されている。支持ボックス７０はさらに図１０〜図１２に示されており、取付突起７２と、ヒンジピン孔６２と、過伸展止め又は過伸展抑制装置６８と、回転防止表面７８とを備えている。図２に示されているように、大腿骨コンポーネント２２は、取付突起７２を受容する寸法の取付突起孔７４を含んでいる。図１は、大腿骨コンポーネント２２に機能可能となるように配置されている支持ボックス７０を示しており、回転防止表面７８が大腿骨コンポーネント２２の支持ボックス壁７６と直に接触していると共に、取付突起７２が取付突起孔７４内に受容された状態になっている。回転防止表面７８が支持ボックス壁７６と接触する配置関係は、取付突起７２の長手方向軸線周りに支持ボックス７０が回転することを防止する。支持ボックス７０が大腿骨コンポーネント２２に配置されているとき、支持ボックス７０のヒンジピン孔６２は大腿骨コンポーネント２２のヒンジピン孔５８及び螺刻された（すなわち、ネジ部を形成された）ヒンジピン孔５６と整列する。支持ボックス７０は、例えば超高分子量ポリエチレン（ＵＨＭＷＰＥ）のような任意の適したプラスチックから形成することができる。
【手続補正４】
【補正対象書類名】明細書
【補正対象項目名】００２７
【補正方法】変更
【補正の内容】
【００２７】
半月板コンポーネント２６は脛骨コンポーネント２４の回転突起９６と協働する切り抜き部９０を含んでおり、この切り抜き部９０は、半月板コンポーネント２６の回転を案内すると共に、脛骨コンポーネント２４の脛骨トレイ９８から半月板コンポーネント２６が持ち上がることを阻止している。例えば図３に示されているように、切り抜き部９０は、回転突起９６の中で脛骨トレイ９８を含んでいる平面と概略平行な平面内に延びている部分（すなわち、リップ）を収容し、半月板コンポーネント２６の一部（すなわち、リップ）は、回転突起９６と脛骨トレイ９８との間で脛骨トレイ９８を含む平面と平行な方向に位置するようになる。この構成は、半月板コンポーネント２６が脛骨トレイ９８からヒンジ支柱延長体４２の長手方向軸線と平行な方向に離れて配置されることを防止するように機能する。さらに、回転突起９６は、切り抜き部９０の背部に対して作用して、半月板コンポーネント２６のヒンジ支柱延長体４２の長手方向軸線周りの回転を制限する。
【手続補正５】
【補正対象書類名】図面
【補正対象項目名】図１
【補正方法】変更
【補正の内容】
【図１】
2002253586.tif 000001
【手続補正６】
【補正対象書類名】図面
【補正対象項目名】図３
【補正方法】変更
【補正の内容】
【図３】
2002253586.tif 000002
【手続補正７】
【補正対象書類名】図面
【補正対象項目名】図４
【補正方法】変更
【補正の内容】
【図４】
2002253586.tif 000003
【手続補正８】
【補正対象書類名】図面
【補正対象項目名】図５
【補正方法】変更
【補正の内容】
【図５】
2002253586.tif 000004
【手続補正９】
【補正対象書類名】図面
【補正対象項目名】図１０
【補正方法】変更
【補正の内容】
【図１０】
2002253586.tif 000005
【手続補正１０】
【補正対象書類名】図面
【補正対象項目名】図１１
【補正方法】変更
【補正の内容】
【図１１】
2002253586.tif 000006
【手続補正１１】
【補正対象書類名】図面
【補正対象項目名】図１２
【補正方法】変更
【補正の内容】
【図１２】
2002253586.tif 000007
【手続補正１２】
【補正対象書類名】図面
【補正対象項目名】図１３
【補正方法】変更
【補正の内容】
【図１３】
2002253586.tif 000008
【手続補正１３】
【補正対象書類名】図面
【補正対象項目名】図１４
【補正方法】変更
【補正の内容】
【図１４】
2002253586.tif 000009
【手続補正１４】
【補正対象書類名】図面
【補正対象項目名】図１８
【補正方法】変更
【補正の内容】
【図１８】
2002253586.tif 000010